(57)【要約】【課題】筒軸方向に鉤溝を形成した有底の外筒と、該外筒に出し入れ可能に嵌挿され、一端にブラシ毛を束状に保持すると共に、他端に硬質樹脂製の栓を固定したブラシ毛保持具と、外筒の鉤溝を通して栓に捩じ込み止着される頭付ピンよりなる従来の化粧用ブラシにおいて、ブラシ毛保持具の部品点数を減らし、使用時にブラシ毛が不用意に外筒内に引込むことがないようにする。【解決手段】ブラシ毛保持具１１を単体の硬質樹脂製とし、一側にスリット１６を一対、周方向に一定間隔を置いて形成し、スリット間部分１４ｃより突設される台部を外筒に形成される鉤溝の係止孔部に嵌合させた状態でスリット間部分１４ｃの自由端を外筒に弾接させる。【選択図】図５
2010136780.tif 000002
【特許請求の範囲】
【請求項１】
筒軸方向に鉤溝を形成した有底の外筒と、該外筒内に出し入れ可能に嵌挿され、一側にブラシ毛を束状にして保持すると共に、他側の筒状部に筒軸方向のスリットを周方向に適当間隔をおいて複数形成した硬質樹脂又は金属製のブラシ毛保持具と、該ブラシ毛保持具のスリット間部分より径方向外向きに突設され、前記外筒の前記鉤溝を通して突出する頭部を備えた操作部とよりなることを特徴とする化粧用ブラシ。
【請求項２】
前記鉤溝は、長溝と、該長溝の少なくとも両端に形成される係止孔部とより構成され、また前記操作部は、鉤溝のうち、長溝に嵌合不可で、係止孔部にのみ嵌合可能な台部と、該台部上に突出形成され、鉤溝の長溝にスライド可能に嵌合する駒部よりなり、前記頭部が前記駒部上に突設されることを特徴とする請求項１記載の化粧用ブラシ。
【請求項３】
前記台部及び駒部がブラシ毛保持具に一体形成されるか、又は取付けられると共に、前記頭部が駒部に圧入又は捩じ込んで止着され、また前記ブラシ毛保持具にはスリット間部分の内方への撓みを一定量に規制する撓み止めが設けられることを特徴とする請求項１又は２記載の化粧用ブラシ。
【請求項４】
操作部は、全体が一体で、ブラシ毛保持具に圧入又は捩込みにて止着され、また前記ブラシ毛保持具にはスリット間部分の内方への撓みを一定量に規制する規制手段が設けられることを特徴とする請求項１又は２記載の化粧用ブラシ
【発明の詳細な説明】
【技術分野】
【０００１】
本発明は、化粧用ブラシに関する。
【背景技術】
【０００２】
図１及び図２は、従来のこの種の化粧用ブラシを示すもので、筒軸方向に鉤溝１を形成した有底の金属製外筒２と、該外筒２内に出し入れ可能に嵌挿され、図３に示すように一側の先端側にブラシ毛３を束状に保持すると共に、他端に硬質樹脂製の栓４が圧入又は嵌着されて接着にて固定される金属製の内筒よりなるブラシ毛保持具５と、前記外筒２の鉤溝１を通して栓４のピン穴４ａに圧入される頭付ピン６とよりなり、該頭付ピン６を鉤溝１に沿いスライドさせて鉤溝端一側の鉤部１ａに嵌合係止させると、ブラシ毛３全体が外筒２より突出した使用位置に（図１）、鉤溝中間に前記鉤部１ａとは逆向きに突出形成される鉤部１ｂに嵌合係止させると、ブラシ毛３の中間部より先端側が前記外筒２より突出した第２使用位置に、また頭付ピン６を鉤溝１に沿い鉤溝端まで戻すと、ブラシ毛３が外筒内に格納された非使用位置（図２）に切り換えられるようにしてある。
【０００３】
別の例では、栓全体がブラシ毛保持具に嵌挿され、頭付ピンを鉤溝よりブラシ毛保持具
に通して栓に圧入するようにしたものも知られる。
【０００４】
更に別の例として下記特許文献１には、筒軸方向に長溝を形成し、長溝には両端と中間部に係止孔部が形成された収納筒体と、該筒体に出し入れ可能に嵌挿され、一側の先端側にブラシ毛を束状にして保持するブラシ本体と、該ブラシ本体にバネの作用により径方向に突出するように付勢される操作体よりなり、該操作体をバネの作用に抗し押し込んで、長溝に沿って移動させ、前記係止孔部に係止させることによりブラシ毛を使用位置或いは不使用位置に切換えられるようにした化粧用ブラシが開示されている。
【特許文献１】特開２００７−２０６１３号
【発明の開示】
【発明が解決しようとする課題】
【０００５】
図３に示す従来のブラシ毛保持具５は、筒部５ａと栓４とより構成され、栓４を筒部５ａに取付ける取付作業が必要であるうえ、使用時に外筒２を持ち、ブラシ毛３を頬に当てて化粧をするとき、頭付ピン６が鉤溝１の鉤部１ａから外れて鉤溝内を移動し、使用時にブラシ毛３が不用意に外筒内２に引込むおそれがある。
【０００６】
この点、特許文献１に開示される化粧用ブラシは、ブラシ毛を使用位置或いは不使用位置に切換えた状態においては、操作体が係止孔部に係止することによりブラシ毛が使用位置或いは不使用位置に拘束され、収納筒体内に不用意に引込んだり、突出することはないが、部品点数が多く、構造がきわめて複雑である。
【０００７】
本発明は、ブラシ毛保持具の部品点数を従来のものより減らすと共に、使用中にブラシ毛が不用意に外筒内に引込んだり、外筒より突出することがないようにした化粧用ブラシを提供することを目的とする。
【課題を解決するための手段】
【０００８】
請求項１に係る発明は、筒軸方向に鉤溝を形成した有底の外筒と、該外筒内に出し入れ可能に嵌挿され、一側にブラシ毛を束状にして保持すると共に、他側の筒状部に筒軸方向のスリットを周方向に適当間隔をおいて複数形成した硬質樹脂又は金属製のブラシ毛保持具と、該ブラシ毛保持具のスリット間部分より径方向外向きに突設され、前記外筒の前記鉤溝を通して突出する頭部を備えた操作部とよりなることを特徴とし、
請求項２に係る発明は、請求項１に係る発明において、前記鉤溝は、長溝と、該長溝の少なくとも両端に形成される係止孔部とより構成され、また前記操作部は、鉤溝のうち、長溝に嵌合不可で、係止孔部にのみ嵌合可能な台部と、該台部上に突出形成され、鉤溝の長溝にスライド可能に嵌合する駒部よりなり、前記頭部が前記駒部上に突設されることを特徴とする。
【０００９】
請求項３に係る発明は、請求項２に係る発明において、前記台部及び駒部がブラシ毛保持具に一体形成されるか、又は取付けられると共に、前記頭部が駒部に圧入又は捩じ込んで止着され、また前記ブラシ毛保持具にはスリット間部分の内方への撓みを一定量に規制する撓み止めが設けられることを特徴とする。
【００１０】
請求項４に係る発明は、請求項１又は２に係る発明において、操作部は、全体が一体で、ブラシ毛保持具に圧入又は捩込みにて止着され、また前記ブラシ毛保持具にはスリット間部分の内方への撓みを一定量に規制する規制手段が設けられることを特徴とする。
【発明の効果】
【００１１】
請求項１に係る発明によると、ブラシ毛保持具は単体の硬質樹脂又は金属製で、従来の外筒と栓とよりなるブラシ毛保持具に比べ、部品点数が１つですみ、栓の取付作業も不要になること、ブラシ毛保持具のスリット間部分を、その自由端が若干でも径方向外向きに突出するように形成しておくことにより、スリット間部分の自由端を内方に押し込んだ状態で外筒に嵌挿されたブラシ毛保持具は、スリット間部分の自由端が外筒に弾接するようになり、その摩擦抵抗によりブラシ毛保持具の妄動が防止され、使用時にブラシ毛が不用意に外筒内に引込むのを防止できること等の効果を有する。
【００１２】
請求項２に係る発明よると、操作部の台部が鉤溝の係止孔部に嵌合することによりブラシ毛保持具が回り止めされると共に、ブラシ毛が不用意に外筒内に引込んだり、外筒より突出するのをより確実に防止することができる。なお、ブラシ毛が外筒内に引込められる不使用位置と外筒より突出する使用位置との切換えは、台部が係止孔部に嵌合した状態で頭部を押し込んで鉤溝に沿い押し動かすことにより行われる。頭部を押込むことによりスリット間部分が内方に撓んで、台部が係止孔部より離脱して降下し、駒部が長孔に嵌合し、回り止めされた状態でスライド可能となる。
【００１３】
請求項３及び４に係る発明よると、全体が一体の操作部をブラシ毛保持具に、又は頭部を駒部に圧入又は捩じ込む際、スリット間部分が内方に撓むが、その撓みが一定量に達すると、撓み止めがスリット間部分を内方より支持するため、操作部又は頭部の圧入又は捩じ込みが容易かつ確実に行えること、スリット間部分が長期の使用により内方にへたって塑性変形（以下、クリープという）するようなことがあってもクリープ量が必要以上に大きくなることはなく、スリット間部分の弾発力によるブラシ毛保持具の妄動防止を長期間持続させることができることなどの効果を有する。
【発明を実施するための最良の形態】
【００１４】
本発明の実施形態の化粧用ブラシは、図４に示すように、有底の金属製又は硬質樹脂製の外筒１１と、該外筒１１に出し入れ可能に嵌挿される硬質樹脂又は金属製の筒状のブラシ毛保持具１４よりなり、このうち外筒１１には、図１及び図２に示す従来の外筒２と同様、中間部から後方寄りに達する筒軸方向の鉤溝１２が形成されている。この鉤溝１２は筒軸方向の長溝１２ａと、長溝前端と前端寄りの一側にそれぞれ図示するように左右逆向き又は同じ向きに側方に突出形成される係止孔部１２ｂと、長溝後端に形成される係止孔部１２ｃよりなっている。図示する例では係止孔部１２ｂは半円形、係止孔部１２ｃは円形になっているが、後述する台部が嵌合可能であれば他の形状であってもよい。
【００１５】
外筒１１に出し入れ可能に嵌挿されるブラシ毛保持具１４は、図５〜図７に示す例では断面が円形になっているが、例えば楕円形であっても矩形であってもよく、またその他の形状をなしていてもよい。図中、１５はブラシ毛保持具１４の一側の先端側１４ａに束状にして差し込まれ、常法により接着にて取り付けられるブラシ毛１５である。
【００１６】
ブラシ毛保持具１４の他側部１４ｂには、一対のスリット１６が周方向に一定間隔をおいて筒軸方向に形成されると共に、他端部のスリット間部分１４ｃに内向きに突出する筒軸方向の突出部１４ｄと、該突出部１４ｄに若干の間隙を存して直交し、撓み止めを構成する弦状の隔壁１７が形成され、突出部１４ｄ中央のスリット間部分上には横断面が円形の台部１８と、該台部上に突出し、円形の対向縁部を筒軸を挟んで対称形にセグメント状に切除した形態をなす駒部１９とが形成され、この駒部１９と台部１８は後述の頭部２３と共に操作部を構成している（図８）。該操作部のうち、駒部１９は鉤溝１２の長溝１２ａにスライド可能に嵌合される一方、台部１８は長溝１２ａに嵌合不可で、係止孔部１２ｂ、１２ｃのみに嵌合できるようになっている。
【００１７】
図中、２１は駒部中央に開口するピン孔で、駒部１９から台部１８を経、突出部１４ｄに達して径方向に形成されている。そして該ピン孔２１に金属製又は硬質樹脂製をなす頭部２３より突設のピン２４が圧入して止着されている（図７参照）。
【００１８】
前記スリット間部分１４ｃは、その自由端が筒状部１４ｂより径方向外方に若干突出して、内向きに撓みうるようになっており、その撓みは突出部１４ｄが撓み止めである隔壁１７に当たることにより規制されるようになっている。
なお前述するスリット１６は筒状部１４ｂに一対形成されているが、周方向に適当間隔をおいて３箇所以上形成してもよい。
【００１９】
また操作部を構成する前述の台部１８と駒部１９はブラシ毛保持具１４に一体形成されるが、ブラシ毛保持具１４とは別体に形成してブラシ毛保持具１４に圧入するか、捩じ込み或いは差込んで接着剤にて止着して取り付けてもよい。台部１８と駒部１９をブラシ毛保持具１４と別体に形成する場合には、前記頭部２３と共に全体を金属又は硬質樹脂にて一体に形成してもよい。
【００２０】
本実施形態の化粧用ブラシは以上のように構成され、組付けは、先ずブラシ毛保持具１４の駒部１９を押込み、スリット間部分１４ｃを内向きに撓ませた状態でブラシ毛保持具１４を外筒１１内に押込み嵌挿する。駒部１９が鉤溝１２の係止孔部１２ｂに達すると、押え込まれていたスリット間部分１４ｃの復元力により台部１８が係止孔部１２ｂに嵌合係止する。この状態で頭部２３より突設のピン２４を鉤溝１２を通して、駒部１９及び台部１８のピン孔２１に圧入し、頭部２３をブラシ毛保持具１４に取り付ける。頭部２３より突設のピン２４をピン孔２１に圧入する際には、スリット間部分１４ｃも押下げられるが、押下げは突出部１４ｄが撓み止めである隔壁１７に当たることにより規制され（突出部１４ｄが隔壁１７に当たって該隔壁１７を押下げることにより隔壁１７は内方に撓むが、その弾発力によりスリット間部分１４ｃの押下げが規制される）、これにより頭部２３の取付けが容易かつ確実に行われる。以上のようにして頭部２３が外筒１１より突出して取付けられる。
【００２１】
ブラシ毛１５の使用位置と不使用位置との切換は、前記頭部２３を押込み、スリット間部分１４ｃを押下げて鉤溝１２に沿い押し動かすことにより行う。すなわち頭部２３を押し込んで鉤溝１２に沿い、限度まで押し動かすと、駒部１９が長溝１２ａをスライドし、長溝端に達する。長溝端に達した常態で頭部への押込みを解除すると、スリット間部分１４ｃの弾発力により台部１８が係止孔部１２ｂ又は１２ｃに嵌合係止してブラシ毛１５が図４に示すような外筒１１より突出する使用位置又は、外筒１１内に引込む不使用位置に切換可能となる。
【００２２】
また頭部２３を押込んで駒部１９を中間の係止孔部１２ｂに嵌合係止させると、図９に示すようにブラシ毛１５の大部分が突出する第２の使用位置に切換られる。
【００２３】
上記実施形態の化粧用ブラシは、ブラシ毛１５が三位置に切換え可能であるが、鉤溝１２の係止孔部１２ｂ、１２ｃを、長溝端にのみ形成し、長溝の中間部に形成される鉤溝１２ｂを省くことができる。この場合、ブラシ毛１５は、使用位置と非使用位置の２位置に切換可能となる。
【００２４】
本実施形態の化粧用ブラシによると、ブラシ毛保持具１４は硬質樹脂又は金属により一体形成され、図１及び図２に示す従来のブラシ毛保持具５が外筒２と栓４とよりなるのに比べ、部品点数が１つですみ、栓４を取り付ける作業も不要になること、ブラシ毛保持具５のスリット間部分１４ｃの自由端が外筒１１の内面に弾接し、かつ台部１８が鉤溝１３の係止孔部１２ｂに嵌合係止することによりブラシ毛保持具１４の動き、とくに回動が規制され、ブラシ毛１５を頬に当てて押し付けた状態で動かしても台部１８が鉤溝１２の係止孔部１２ｂより外れて外筒内に引込むこと、すなわちブラシ毛１５が不用意に引込むのが防止されること、頭部２３より突設のピン２４の圧入は、突出部１４ｄが隔壁１７に支持された状態で行うことができ、上記ピン２４の圧入を容易かつ確実に行うことができると共に、スリット間部分１４ｃが長期の使用により内方にクリープするようなことがあっても隔壁１７によりクリープ量が制限され、スリット間部分１４ｃの弾発力による台部１８の係止孔部１２ｂ、１２ｃへの係止作用を長期間持続させることができること等の効果を有する。
【図面の簡単な説明】
【００２５】
【図１】従来の化粧用ブラシの使用時における正面図。
【図２】ブラシ毛を格納した非使用時における正面図。
【図３】ブラシ毛保持具の正面図。
【図４】本発明に係る化粧用ブラシの平面図。
【図５】ブラシ毛保持具の平面図。
【図６】同ブラシ毛保持具の拡大正面図。
【図７】図６のＡ−Ａ線断面図。
【図８】図５のａ部の拡大図ブラシ毛の大部分を突出させた使用時における正面図。
【図９】ブラシ毛の大部分を突出させた第２の使用時における平面図。
【符号の説明】
【００２６】
１、１２・・鉤溝
２、１１・・外筒
１２ａ・・長溝
１２ｂ、１２ｃ・・係止孔部
１４・・ブラシ毛保持具
１４ｃ・・スリット間部分
１５・・ブラシ毛
１６・・スリット
１７・・隔壁
１８・・台部
１９・・駒部
２１・・ピン孔
２３・・頭部
２４・・ピン
【図１】
2010136780.tif 000003
【図２】
2010136780.tif 000004
【図３】
2010136780.tif 000005
【図４】
2010136780.tif 000006
【図５】
2010136780.tif 000007
【図６】
2010136780.tif 000008
【図７】
2010136780.tif 000009
【図８】
2010136780.tif 000010
【図９】
2010136780.tif 000011